(57)【要約】【課題】ホットスワップでＩＣカードを着脱できること。【解決手段】操作ボタン３０を有するカード着脱操作検出部２８がＩＣカード用コネクタにおけるコネクタ本体部１０に設けられるもとで、ＳＩＭカードＳＩＭは、操作ボタン３０が操作され検出出力が送出された後、イジェクト部材２０が引き出されることにより取り出されるもの。【選択図】図１
2008016223.tif 000002
【特許請求の範囲】
【請求項１】
ＩＣカードを着脱可能に収容するカード収容部を有するコネクタ本体部と、
前記コネクタ本体部に摺動可能に配され、前記カード収容部に収容された前記ＩＣカードを該カード収容部から外部へ引き出すイジェクト部材と、
前記イジェクト部材の一端部に選択的に係合し該イジェクト部材の摺動を規制、または、該イジェクト部材を解放する操作部を有し、前記ＩＣカードの着脱操作を検出し検出出力を送出するカード着脱操作検出部と、を備え、
前記カード着脱操作検出部の操作部が操作されることにより前記イジェクト部材が解放され、該カード着脱操作検出部が検出出力を送出した後、前記ＩＣカードが前記イジェクト部材により引き出されることを特徴とするＩＣカード用コネクタ。
【請求項２】
前記カード収容部に収容されるＩＣカードが引き出される場合、前記カード着脱操作検出部からの検出出力に基づいてホットスワップ制御が行われることを特徴とする請求項１記載のＩＣカード用コネクタ。
【発明の詳細な説明】
【技術分野】
【０００１】
本発明は、着脱可能なＩＣカードを電子機器に電気的に接続するＩＣカード用コネクタに関する。
【背景技術】
【０００２】
携帯電話機等の内部に配置されるＩＣカード用コネクタにおいては、例えば、特許文献１にも示されるように、ＳＩＭ（Ｓｕｂｓｃｒｉｂｅｒ  Ｉｄｅｎｔｉｔｙ  Ｍｏｄｕｌｅ）カード、または、ＵＩＭカードが装着されるものが実用に供されている。そのようなＩＣカード用コネクタからＳＩＭカード等を取り外す場合、そのカード内に記録されたデータの破損および携帯電話機の故障の原因となることを回避するために携帯電話機の電源を一旦、オフ状態とすることが必要とされる。このようなＳＩＭカードの取り扱いの要求に基づいて携帯電話機等においては、ＳＩＭカードが、バッテリーが取り外された後でなければＩＣカード用コネクタから取り出せない構造、例えば、ＳＩＭカードおよびＩＣカード用コネクタが、携帯電話機におけるバッテリーの下方の位置に収容される構造が採用されている。または、携帯電話機におけるＩＣカード用コネクタが設けられる部位に、例えば、ＩＣカード用コネクタのカードスロットを覆う蓋部材が設けられるものが実用に供されている。斯かる構成においては、ＳＩＭカードの取り出しのとき、携帯電話機の電源が、蓋部材の開状態に連動して強制的にオフ状態とされる。
【０００３】
【特許文献１】特開２００４−８７４８０号公報
【発明の開示】
【発明が解決しようとする課題】
【０００４】
しかしながら、このような携帯電話機等を含む電子機器においては、電源をオン状態に維持し電子機器の通信システム等を中断させることなく、電子機器に着脱可能に接続されるＩＣカード等の付帯装置を交換可能とすること、所謂、ホットスワップ（ｈｏｔ−ｓｗａｐ）の対応が要望されている。
【０００５】
以上の問題点を考慮し、本発明は、着脱可能なＩＣカードを電子機器に電気的に接続するＩＣカード用コネクタであって、ホットスワップでＩＣカードを着脱できるＩＣカード用コネクタを提供することを目的とする。
【課題を解決するための手段】
【０００６】
上述の目的を達成するために、本発明に係るＩＣカード用コネクタは、ＩＣカードを着脱可能に収容するカード収容部を有するコネクタ本体部と、コネクタ本体部に摺動可能に配され、カード収容部に収容されたＩＣカードをカード収容部から外部へ引き出すイジェクト部材と、イジェクト部材の一端部に選択的に係合しイジェクト部材の摺動を規制、または、イジェクト部材を解放する操作部を有し、ＩＣカードの着脱操作を検出し検出出力を送出するカード着脱操作検出部と、を備え、カード着脱操作検出部の操作部が操作されることによりイジェクト部材が解放され、カード着脱操作検出部が検出出力を送出した後、ＩＣカードがイジェクト部材により引き出されることを特徴とする。
【発明の効果】
【０００７】
以上の説明から明らかなように、本発明に係るＩＣカード用コネクタによれば、カード着脱操作検出部の操作部が操作されることによりイジェクト部材が解放され、カード着脱操作検出部が検出出力を送出した後、ＩＣカードが前記イジェクト部材により引き出されるので所定の遅延期間が確保され、従って、ホットスワップでＩＣカードを着脱できる。
【発明を実施するための最良の形態】
【０００８】
図１は、本発明に係るＩＣカード用コネクタの一例を、ＩＣカード制御部とともに概略的に示す。
【０００９】
図１に示されるＩＣカード用コネクタは、所定の電子機器、例えば、携帯電話機の内部に配される所定のプリント基板上に設けられる。なお、ＩＣカード用コネクタは、斯かる例に限られることなく、例えば、ＰＤＡ，プリンタ、カメラ等の他の電子機器に設けられてもよい。
【００１０】
ＩＣカード用コネクタは、例えば、ＩＣカードとしてのＳＩＭカードＳＩＭ、ＳＤカードＳＤＣがそれぞれ、１枚ずつ装着可能とされる。ＳＩＭカードＳＩＭおよびＳＤカードＳＤＣは、それぞれ、後述されるコンタクト端子群の配列に対応した複数の電極部が一方の表面部に形成されている。
【００１１】
ＩＣカード用コネクタは、例えば、図１において矢印Ｙの示す方向に沿ってその収容部１６に着脱可能に収納されるＳＤカードＳＤＣの電極部、または、図１において矢印Ｘの示す方向に沿ってその収容部１８（図２参照）に着脱可能に収納されるＳＩＭカードＳＩＭの電極部とプリント基板（不図示）の接続端子部とを電気的に接続するものとされる。
【００１２】
ＩＣカード用コネクタは、カードに対する電気的接続を行う複数のコンタクト端子群等が配列され、装着された各カードを支持するコネクタ本体部１０と、コネクタ本体部１０と協働して各カードの収容部１６および１８をそれぞれ形成するベース部材１４およびカバー部材１２とを主な要素として含んで構成されている。
【００１３】
カバー部材１２は、導電性材料である薄板金属材料でプレス加工によりその３辺が折り曲げられて作られ、門形の断面形状を有している。
【００１４】
カバー部材１２は、コネクタ本体部１０の凹部を覆うことにより収容部１８を形成している。カバー部材１２は、後述するベース部材の爪部に係合される開口（不図示）をＳＤカード用のカードスロット側の両側面部にそれぞれ複数個、所定の間隔で有している。また、カバー部材１２の３辺のうちの残りの辺には、コネクタ本体部１０の他の部分に設けられる爪部に係合される開口（不図示）を複数個有している。カバー部材１２における折り曲げられた端部は、それぞれ、コネクタ本体部１０の端部に係合されている。
【００１５】
ベース部材１４は、導電性材料である薄板金属材料でプレス加工によりその３辺が折り曲げられて作られ、門形の断面形状を有している。
【００１６】
コネクタ本体部１０は、絶縁材料として例えば樹脂材料により一体に成形されている。コネクタ本体部１０の外周部には、上述したカバー部材１２およびベース部材１４の開口部にそれぞれ、係合される複数の爪部（不図示）が一体に成形されている。
【００１７】
コネクタ本体部１０は、階層を形成するように相対向して二つの凹部を有している。
【００１８】
従って、カバー部材１２と一方の凹部とによって収容部１８が上方に形成されることとなる。また、ベース部材１４と他方の凹部とによって収容部１６がその下方に形成されることとなる。
【００１９】
二つの凹部は、それぞれ、その幅方向の中心軸線が互いに略直交するように延在している。各凹部の幅は、それぞれ、ＳＩＭカードＳＩＭ、ＳＤカードＳＤＣに対応して設定されている。
【００２０】
収容部１８の開口端部の周縁には、上述の電子機器の筐体ＣＡに形成されるカードスロットＣＳが設けられている。カードスロットＣＳの高さは、ＳＩＭカードＳＩＭの厚さよりも若干大に設定されている。また、カードスロットＣＳの幅は、図５に示されるように、操作ボタン３０がその最端部まで移動されるとき、操作部２０ＭとともにＳＩＭカードＳＩＭが容易に引き出され得るようにＳＩＭカードＳＩＭの幅よりも大に設定されている。これにより、収容部１８の開口端部を通じて突出するＳＩＭカードＳＩＭの端面は、カードスロットＣＳが設けられる筐体ＣＡの外面と共通の平面上にあるのでＳＩＭカードＳＩＭの端面を保持して不用意に取り出される虞がない。
【００２１】
収容部１８を形成する内周部には、図２においてＳＩＭカードＳＩＭの電極部に対応した間隔で複数のコンタクト端子２２ａｉ（ｉ＝１〜６）が設けられている。コンタクト端子２２ａｉの半田付け端子部は、図２に示されるように、カバー部材１２の切欠部を介して外部に突出している。一方、各コンタクト端子２２ａｉの接点部は、その一方の凹部を形成する底部とカバー部材１２の内周面との間に弾性変位可能に配されている。これにより、各コンタクト端子２２ａｉの接点部と上述のＳＩＭカードＳＩＭの電極部との接触圧力により、ＳＩＭカードＳＩＭは、収容部１８内に保持されることとなる。
【００２２】
他方の凹部を形成する内周部には、ＳＤカードＳＤＣの電極部に対応した間隔でコンタクト端子２４ａｉ（ｉ＝１〜ｎ，ｎは正の整数）が設けられている。コンタクト端子２４ａｉの半田付け端子部は、図２に示されるように、ベース部材１４の切欠部を介して外部に突出している。一方、各コンタクト端子２４ａｉの接点部は、他方の凹部を形成する底部とベース部材１４の内周面との間に弾性変位可能に配されている。
【００２３】
また、コネクタ本体部１０の収容部１６の周囲には、図示が省略されるが、ＳＤカードＳＤＣを収容部１６内に保持するとともに、収容されたＳＤカードＳＤＣを選択的に外部に向けて自動的に排出させるイジェクト機構が設けられている。
【００２４】
従って、ＳＤカードＳＤＣを装着するにあたっては、ＳＤカードＳＤＣの電極部側端部が、それぞれ、収容部１６のカードスロットを通じて収容部１６内に挿入された後、さらに押し込まれることにより、そのイジェクト機構により、保持されることとなる。
【００２５】
一方、ＳＤカードＳＤＣを取り外すにあたっては、ＳＤカードＳＤＣが、図１において矢印Ｙに示される方向に沿ってさらに押圧される場合、そのイジェクト機構のコイルスプリングの付勢力により、外部に向けて自動的に排出されることとなる。
【００２６】
さらに、収容部１８内には、図２に示されるように、イジェクト部材２０が摺動可能に配されている。イジェクト部材２０は、ＳＩＭカードＳＩＭの着脱のとき、操作される操作部２０Ｍと、操作部２０Ｍに一端が連結されＳＩＭカードＳＩＭを保持するカード保持部２０Ａとを含んで構成されている。図５に拡大されて示されるように、丸く折り曲げられて形成される操作部２０Ｍの一端部は、収容部１８のカードスロットから外部に突出している。また、操作部２０Ｍの一端部は、図５に示されるように、引き出し可能となるように筐体ＣＡから外部に対し露出している。カード保持部２０Ａは、挿入されたＳＩＭカードＳＩＭの一方の端部の隅に形成される面取部が係合される斜面部を一端に有している。これにより、操作部２０Ｍが図５に示される矢印の示す方向に引っ張られることにより、各コンタクト端子２２ａｉの接点部と上述のＳＩＭカードＳＩＭの電極部との接触圧力に抗してイジェクト部材２０に伴ってＳＩＭカードＳＩＭが取り出されることとなる。その際、イジェクト部材２０は、操作ボタン３０の端面に摺接しその摩擦力に抗して所定の速度で引き出されることとなる。
【００２７】
収容部１８の開口端部（カードスロット）の周縁部には、図２に示されるように、ＳＩＭカードＳＩＭの着脱操作の開始または完了を検出するカード着脱操作検出部２８が設けられている。
【００２８】
カード着脱操作検出部２８は、図４の矢印の示す方向、即ち、収容部１８の幅方向に沿って移動可能に設けられ、操作部２０Ｍの引き出し操作を選択的に規制する操作ボタン３０と、上述のイジェクト部材２０に隣接して弾性変位可能に配され操作ボタン３０に連結される検出用接触片部２６と、検出用接触片部２６に対して略平行にイジェクト部材２０に対し離隔する側に配され検出用接触片部２６に一端が選択的に当接する検出用接触片部２４とを含んで構成されている。
【００２９】
検出用接触片部２６は、図３（Ａ）に拡大されて示されるように、一端が操作ボタン３０の溝に圧入されることにより操作ボタン３０に固定されている。操作ボタン３０は、コネクタ本体部１０に形成される案内溝１０Ｇに移動可能に係合されている。案内溝１０Ｇは、イジェクト部材２０の摺動方向に対し略直交する方向に沿ってコネクタ本体部１０の端部に形成されている。操作ボタン３０は、操作可能となるように筐体ＣＡから外部に対し露出している。
【００３０】
検出用接触片部２６の他端には、上述のプリント基板の信号ラインに接続される出力端子部２６ａが設けられている。出力端子部２６ａ近傍には、コネクタ本体部１０の溝に圧入され固定される複数の爪部２６ｂが形成されている。検出用接触片部２６における爪部２６ｂとその一端との間の部分には、検出用接触片部２４の接点部に選択的に接触する接点部２６ｃが形成されている。これにより、操作ボタン３０が図３（Ａ）の矢印の示す方向に操作されるとき、イジェクト部材２０の一端を規制または解放し、爪部２６ｂが固定される検出用接触片部２６の接点部２６ｃが、検出用接触片部２４の接点部に対し当接または離隔せしめられることとなる。
【００３１】
検出用接触片部２４の一端には、コネクタ本体部１０に固定されている出力端子部２４ａが形成されている。検出用接触片部２４の他端には、検出用接触片部２６の接点部２６ｃが選択的に当接する接点部が形成されている。
【００３２】
検出用接触片部２６の出力端子部２６ａおよび検出用接触片部２４の出力端子部２４ａは、それぞれ、後述するプリント基板上の中央演算処理部（ＣＰＵ）４０に接続されている。また、出力端子部２６ａと出力端子部２４ａとの間には、所定の基準電源（不図示）が接続されている。
【００３３】
これにより、検出用接触片部２６および検出用接触片部２４は、信号レベルが変化する検出出力信号Ｓａを中央演算処理部４０に供給する。検出出力信号Ｓａは、接点部２６ｃが検出用接触片部２４の接点部に当接するとき、例えば、高レベルをとり、一方、接点部２６ｃが検出用接触片部２４の接点部に対し離隔するとき、低レベルをとるものとされる。
【００３４】
中央演算処理部４０には、上述のカード着脱操作検出部２８からの検出出力信号Ｓａ、コネクタ本体部１０に設けられ、収容部１６におけるＳＤカードＳＤＣの有無を検出するカード認識スイッチ４４からの検出出力信号Ｓｃ、および、コネクタ本体部１０に設けられ、収容部１８におけるＳＩＭカードＳＩＭの有無を検出するカード認識スイッチ４６からの検出出力信号Ｓｄが供給される。
【００３５】
斯かる構成において、ＳＤカードＳＤＣを装着するにあたっては、ＳＤカードＳＤＣの電極部側端部が、それぞれ、収容部１６のカードスロットを通じて収容部１６内に挿入された後、さらに押し込まれることにより、上述のイジェクト機構により、保持されることとなる。その際、中央演算処理部４０は、カード認識スイッチ４４からのＳＤカードＳＤＣが装着されたことをあらわす検出出力信号Ｓｃに基づいて制御データおよび画像データ等を含むデータ群ＤＱ１をＩＣカード制御部４２に供給する。ＩＣカード制御部４２は、データ群ＤＱ１に基づき画像データ等を含むデータＣＤ１をコンタクト端子２４ａｉを通じてＳＤカードＳＤＣに供給する。
【００３６】
一方、ＳＤカードＳＤＣを取り外すにあたっては、ＳＤカードＳＤＣが、それぞれ、図１において矢印Ｙに示される方向に沿ってさらに押圧される場合、そのイジェクト機構により、外部に向けて排出されることとなる。
【００３７】
ＳＩＭカードＳＩＭを装着するにあたっては、図５に示されるように、イジェクト部材２０が引き出された状態でＳＩＭカードＳＩＭの電極部側端部が、それぞれ、収容部１８のカードスロットを通じて収容部１８内にイジェクト部材２０とともに挿入される。これにより、ＳＩＭカードＳＩＭは、コンタクト端子２２ａｉの接点部との接触圧力により収容部１８内に保持されることとなる。その際、操作ボタン３０の一端は、イジェクト部材２０の操作部２０Ｍの端部に係合される。これにより、イジェクト部材２０の移動が規制されるのでＳＩＭカードＳＩＭが不用意に引き出される虞がない。
【００３８】
また、接点部２６ｃが検出用接触片部２４の接点部に対し離隔しているので検出出力信号Ｓａは、低レベルをとる。中央演算処理部４０は、カード認識スイッチ４６からのＳＩＭカードＳＩＭが装着されていることをあらわす検出出力信号Ｓｄに基づき検出出力信号Ｓａが低レベルなのでＳＩＭカードＳＩＭが取り出される虞がないと判断し、電話機固有の識別番号および電話番号をあらわすデータ、および制御データ等を含むデータ群ＤＱ２をＩＣカード制御部４２に供給する。ＩＣカード制御部４２は、データ群ＤＱ２に基づいて電話機固有の識別番号および電話番号等をあらわすデータＣＤ２をコンタクト端子２２ａｉを通じてＳＩＭカードＳＩＭに供給する。
【００３９】
一方、例えば、携帯電話機の電源がオン状態のとき、ＳＩＭカードＳＩＭを取り出すにあたり、先ず、操作ボタン３０が図４に示されるように、イジェクト部材２０の操作部２０Ｍの端部に対し非係合状態とされ、離隔される場合、検出出力信号Ｓａは、高レベルをとる。中央演算処理部４０は、カード認識スイッチ４６からのＳＩＭカードＳＩＭが装着されていることをあらわす検出出力信号Ｓｄに基づき検出出力信号Ｓａが高レベルとなるのでＳＩＭカードＳＩＭが取り出される虞があると判断し、所定のホットスワップ制御用プログラムを実行する。即ち、中央演算処理部４０は、所定の期間内に実行中のプログラムを完了させるとともに、ＳＩＭカードＳＩＭに対するアクセスを一切禁止することをあらわす指令信号ＣｉをＩＣカード制御部４２に供給する。ＩＣカード制御部４２は、指令信号Ｃｉに基づいてデータＣＤ２の送出を停止する。
【００４０】
その際、ＳＩＭカードＳＩＭは、図５および図６に拡大されて示されるように、操作ボタン３０が操作された後（第１の操作）、イジェクト部材２０が例えば指先Ｆｉで引っ張られることにより（第２の操作）、検出出力信号Ｓａが高レベルとなったときから所定の遅延期間をもって取り出されることとなる。従って、ＳＩＭカードＳＩＭは、第１の操作および第２の操作を経て取り出されることとなる。
【００４１】
そして、再度、ＳＩＭカードＳＩＭが収容部１８に装着される場合、操作ボタン３０がイジェクト部材２０の操作部２０Ｍの端部に対し係合状態とされる場合、検出出力信号Ｓａは、低レベルをとる。中央演算処理部４０は、カード認識スイッチ４６からのＳＩＭカードＳＩＭが装着されていることをあらわす検出出力信号Ｓｄに基づき検出出力信号Ｓａが低レベルとなるのでＳＩＭカードＳＩＭが取り出される虞がないと判断し、所定のホットスワップ制御用プログラムを終了し、データ送信を再開させることをあらわす指令信号ＣｒをＩＣカード制御部４２に供給する。ＩＣカード制御部４２は、指令信号Ｃｒに基づいてＳＩＭカードＳＩＭへのデータＣＤ２の送出を再開する。
【００４２】
従って、中央演算処理部４０は、選択的に所定のホットスワップ制御用プログラムを実行することが可能となる。その際、検出出力信号Ｓａが高レベルとなったときからＳＩＭカードＳＩＭが実際に取り出されるまでの所定の遅延期間を確実に確保できることとなる。
【００４３】
上述の例においては、本発明に係るＩＣカード用コネクタの一例が二種類のＩＣカードが収容されるＩＣカード用コネクタに対して適用されているが、斯かる例に限られることなく、例えば、ＳＩＭカード、ＵＩＭカード等の一枚のＩＣカードだけが収容されるＩＣカード用コネクタに対して適用されてもよいことは勿論である。
【図面の簡単な説明】
【００４４】
【図１】本発明に係るＩＣカード用コネクタの一例の構成を、ＩＣカード制御部とともに概略的に示す構成図である。
【図２】図１に示される例におけるＩＣカード用コネクタのカード着脱操作検出部を、ＩＣカードとともに概略的に示す平面図である。
【図３】（Ａ）は、図２に示されるカード着脱操作検出部の一部を構成する検出用接触片部を示す平面図であり、（Ｂ）は、（Ａ）に示される検出用接触片部の正面図である。
【図４】図２に示される例における動作説明に供される平面図である。
【図５】図２に示される例における動作説明に供される平面図である。
【図６】図２に示される例における動作説明に供される部分拡大図である。
【符号の説明】
【００４５】
１０    コネクタ本体部
１６，１８    収容部
２０    イジェクト部材
２２ａｉ、２４ａｉ    コンタクト端子
２４    検出用接触片部
２６    検出用接触片部
２８    カード着脱操作検出部
３０    操作ボタン
ＳＤＣ    ＳＤカード
ＳＩＭ    ＳＩＭカード
【図１】
2008016223.tif 000003
【図２】
2008016223.tif 000004
【図３】
2008016223.tif 000005
【図４】
2008016223.tif 000006
【図５】
2008016223.tif 000007
【図６】
2008016223.tif 000008